(57)【特許請求の範囲】
【請求項１】
白色の種子を有する野生の未成熟パパイアであって、へたの部分と底部の花落ちを除去し皮つきのまま種ごとスライスした後マッシュしたものにブドウ糖を添加してなる第１の混合物を静置熟成し、
次いでこの第１の混合物を濾過することにより第１の濾液と第１の残渣に分画し、この第１の残渣にブドウ糖を混合し第２の混合物とした後静置し、この第２の混合物を濾過することにより第２の濾液を取得するとともに、第１の濾液と第２の濾液の混合物にブドウ糖を添加してブドウ糖濃度を４０乃至６０％に調製された中間原料を取得し、
この中間原料を第１の中間原料、第２の中間原料及び第３の中間原料の３つに分け、
上記第１の中間原料に１．０〜５．０重量％の味噌用酵素を添加し混和した後発酵せしめ、その後、更にブドウ糖を添加し混和し乾燥せしめた後破砕することにより第１の組成物を取得し、
上記第２の中間原料に５．０〜３０．０重量％の乳酸菌及び０．２〜１．０重量％の味噌用酵素を添加し混和し発酵せしめ、その後、更にブドウ糖を添加し混和し乾燥せしめた後破砕することにより第２の組成物を取得し、
上記第３の中間原料に０．５〜４．０重量％のアミラーゼを添加し混和し発酵せしめ、その後、更にブドウ糖を添加し混和し乾燥せしめた後破砕することにより第３の組成物を取得し、
上記第１の組成物、第２の組成物及び第３の組成物を混合均質化し、少なくとも６ヶ月の長期間静置熟成させることにより得られ、かつ、ヒドロキシルラジカル消去活性が、ＩＣ５０値として表記した時、５０μｇ／ｍｌ〜４０００μｇ／ｍｌ、又はＴｒｏｌｏｘ 換算で０．１μｍｏｌ〜８．２μｍｏｌ ｅｑｕｉｖａｌｅｎｔ／ｍｇであるパパイア果実発酵物を１１．１重量％含有し、
パーム油を少なくとも５．０重量％とパーム核油を少なくとも５．０重量％含む植物油脂からなる石鹸素地を用いること
を特徴とする、紫外線又は菲薄化によって引き起こされる皮膚老化の予防及び／又は改善用パパイア果実発酵物含有石鹸。
【発明の詳細な説明】
【技術分野】
【０００１】
本発明は、皮膚老化、アトピー性皮膚炎を含む皮膚の保健機能性に関するトラブルの予防及び／又は改善、並びに、皮膚に対する高い洗浄力獲得のために、高いヒドロキシルラジカル消去活性を有するパパイア果実発酵物を含有するパパイア果実発酵物含有石鹸に関する。
【背景技術】
【０００２】
一般に、活性酸素種（ＲＯＳ）と疾病との関係は広く認知されており、ガン、白内障、神経疾患、肝疾患、腎疾患の他、アレルギー、糖尿病などのいわゆる生活習慣病にも係っている。ＲＯＳが関係するこれらの疾病に対しては抗酸化物質の有効性が認められている。
【０００３】
一方、パパイア（学名：Ｃａｒｉｃａ  Ｐａｐａｙａ  Ｌｉｎｎ）はトロピカルフルーツとして食用に供されるだけでなく、パパインとして知られるタンパク質加水分解酵素を含むことから、食品、化粧品、及び、医薬品への配合成分として様々な分野で広く利用されてきた。
【０００４】
その保健機能性は該製品の抗酸化能に基づくＲＯＳ消去活性、特に、ヒドロキシルラジカル消去活性に基づく可能性が示唆されている。
【０００５】
パパイア果実発酵物製品は一般に上記抗酸化作用を有し、各種疾病に有効であることが知られている。例えば、てんかん、健忘症、アルツハイマー病などの疾病への有効性、皮膚、大腸粘膜の免疫性を高め、アレルギー性炎症を抑制する可能性が示唆されている。
【０００６】
また、パパイアの発酵処理加工物の食品（特許文献１〜４）及び洗剤・クリーニング分野（特許文献５〜８）、石鹸（特許文献９、１０）、外用美容剤（特許文献１１）での利用が考えられるようになり、一部実用化されている。
【０００７】
更に、石鹸に各種の機能性素地、例えば、鳩麦エキス（特許文献１２）、朝鮮人参、どくだみ、アロエ、びわの葉、桃の葉、クコ、芍薬、大蒜等のエキス（特許文献１３）、リン酸カルシウム系化合物（特許文献１４）、茶エキス（特許文献１５）、古代塩水（特許文献１６）、岩白菜抽出物（特許文献１７）、乳、酒粕、焼酎蒸留残渣（特許文献１８）、ビンロウ子抽出物、甘草抽出物（特許文献１９）、各種生薬抽出物（特許文献２０）、コラーゲン合成促進剤（特許文献２１）を混合するなど多数の技術が公知となっている。
【０００８】
しかしながら、肌老化、アトピー性皮膚炎を含む皮膚に関するトラブルの予防及び／又は改善のためにパパイア果実発酵物が必要とするラジカル消去活性のレベルは知られておらず、また、該発酵物を含むパパイア果実発酵物含有石鹸は知られていない現状である。
【０００９】
かかる背景下、高いヒドロキシルラジカル消去活性を有するパパイア果実発酵物含有石鹸及びその製造技術の確立が期待されていた。
【００１０】
【特許文献１】特開２００１−１２０２２４号公報
【００１１】
【特許文献２】特開２００３−２４００９号公報
【００１２】
【特許文献３】特開２００４−２６７０２６号公報
【００１３】
【特許文献４】特開２００６−７５０８６号公報
【００１４】
【特許文献５】特開平７−８２５９７号公報
【００１５】
【特許文献６】特開２００１−１５２１８８号公報
【００１６】
【特許文献７】特開２００１−１８１６８７号公報
【００１７】
【特許文献８】特開２００１−２４７８９６号公報
【００１８】
【特許文献９】特開昭５３−５４２０７号公報
【００１９】
【特許文献１０】特開２００４−１２３５８５号公報
【００２０】
【特許文献１１】特開２００7−３０２６６４号公報
【００２１】
【特許文献１２】特開平７−２７４９１４号公報
【００２２】
【特許文献１３】特開平７−２７４９７７号公報
【００２３】
【特許文献１４】特開平１１−２９４８６号公報
【００２４】
【特許文献１５】特開平１１−１３９９５９号公報
【００２５】
【特許文献１６】特開２００２−１４５７３７号公報
【００２６】
【特許文献１７】特開２００４−１９６７６５号公報
【００２７】
【特許文献１８】特開２００５−２３２０７８号公報
【００２８】
【特許文献１９】特開２００４−５７０５７５号公報
【００２９】
【特許文献２０】特開２００６−２９０８６５号公報
【００３０】
【特許文献２１】特開２００７−５０８３６９号公報
【発明の開示】
【発明が解決しようとする課題】
【００３１】
本発明は上記背景下にてなされたものであり、高いヒドロキシルラジカル消去活性を有するとともに、皮膚に対する高い保健機能性並びに洗浄力を有し、そのうえ品質的に優れたパパイア果実発酵物含有石鹸を提供することにある。
【課題を解決するための手段】
【００３２】
上記課題を解決するために、本発明者らは鋭意研究を重ね、〔１〕高いヒドロキシルラジカル消去活性を有するパパイア果実発酵物及びその製造技術の確立、〔２〕パパイア果実発酵物を含むパパイア果実発酵物含有石鹸の開発、〔３〕パパイア果実発酵物のヒドロキシルラジカル消去活性と皮膚に対する高い保健機能性並びに皮膚に対する高い洗浄力の関連解明、に基づき本発明に至った。
【００３３】
すなわち、本発明に係るパパイア果実発酵物含有石鹸は、白色の種子を有する野生の未成熟パパイアであって、へたの部分と底部の花落ちを除去し皮つきのまま種ごとスライスした後マッシュしたものにブドウ糖を添加してなる第１の混合物を静置熟成し、次いでこの第１の混合物を濾過することにより第１の濾液と第１の残渣に分画し、この第１の残渣にブドウ糖を混合し第２の混合物とした後静置し、この第２の混合物を濾過することにより第２の濾液を取得するとともに、第１の濾液と第２の濾液の混合物にブドウ糖を添加してブドウ糖濃度を４０乃至６０％に調製された中間原料を取得し、この中間原料を第１の中間原料、第２の中間原料及び第３の中間原料の３つに分け、上記第１の中間原料に１．０〜５．０重量％の味噌用酵素を添加し混和した後発酵せしめ、その後、更にブドウ糖を添加し混和し乾燥せしめた後破砕することにより第１の組成物を取得し、上記第２の中間原料に５．０〜３０．０重量％の乳酸菌及び０．２〜１．０重量％の味噌用酵素を添加し混和し発酵せしめ、その後、更にブドウ糖を添加し混和し乾燥せしめた後破砕することにより第２の組成物を取得し、上記第３の中間原料に０．５〜４．０重量％のアミラーゼを添加し混和し発酵せしめ、その後、更にブドウ糖を添加し混和し乾燥せしめた後破砕することにより第３の組成物を取得し、上記第１の組成物、第２の組成物及び第３の組成物を混合均質化し、少なくとも６ヶ月の長期間静置熟成させることにより得られ、かつ、ヒドロキシルラジカル消去活性が、ＩＣ５０値として表記した時、５０μｇ／ｍｌ〜４０００μｇ／ｍｌであるパパイア果実発酵物を１．０乃至１０．０重量％含有し、パーム油を少なくとも５．０重量％とパーム核油を少なくとも５．０重量％含む植物油脂からなる石鹸素地を用いることを特徴とする。
【００３４】
ここで、「野生の未成熟パパイア」とは、原種に近い野生種のパパイアであって、かつ未だ熟していない外皮が青色のパパイアを意味し、店舗、スーパーなどで目にする品種改良されたパパイアとは異なり、大きさは人の拳ほどであり、種がぎっしりと詰まっているものである。野生のパパイアは、品種改良されたパパイアに比べて生命力が強く、この野生のパパイアを皮や種子などを含め、まるごと使用することにより、本発明のパパイア果実発酵物含有石鹸は、従来のパパイアを利用した石鹸、特に、本出願人が以前出願した特許文献１０に係る発酵パパイア石鹸（以下「従来のパパイア石鹸」と言う）に比べ、艶のある泡立ちのボリューム感、泡ののび、しっとり感など石鹸としての品質が向上した。また、石鹸素地への溶解度が格段に向上し、従来のパパイア石鹸においては使用時にザラザラした感触が認められたのに対し、本発明のパパイア果実発酵物含有石鹸は、パパイア発酵物が石鹸素地に完全に溶解し、使用時のザラザラ感は全く認められない。すなわち、本発明においては特許文献１０に示されている栽培種の未熟果のパパイアではなくて、野生の未成熟パパイアを用いること自体が重要な特徴を形成している。
【００３５】
本発明において用いる乳酸菌には特に制限はないが、ストレプトコッカス属、ペディオコッカス属、ラクトバチルス属などが好ましく、ストレプトコッカス属の乳酸菌が特に好ましい。このものは、例えば、食品グレードの市販品として入手可能な原料である。
【００３６】
本発明において用いるアミラーゼはデンプンの加水分解酵素の総称であり、食品製造に利用可能な品質条件を有している限り、特に制限はない。このものは、例えば、食品グレードの市販品として入手して利用可能な原料であり、該酵素の特性、活性単位等の品質と、目的とする製品の品質条件、製造条件に応じて、使用方法を適宜調整できる。
【００３７】
本発明において、味噌用酵素とは、酒、味噌、醤油などの製造に用いられるコウジカビ属コウジカビ、アスペルギルス・オリゼー（Ａｓｐｅｒｇｉｌｌｕｓ  ｏｒｙｚａｅ）の菌体、分泌物などを意味し、アミラーゼ活性のほか、セルラーゼ活性、プロテアーゼ活性等多種類の消化酵素を含有しており、原料の野生の未成熟パパイアを完全に分解し、最終製品にサラサラ感、しっとり感を与え、ヒドロシルラジカル消去活性、多様な皮膚に対する保健機能性を付与するなどの求める品質確保のために必須の役割を果たす。このものは、例えば、食品グレードの市販品として入手可能な原料であり、該酵素の特性、活性単位等の品質と、目的とする製品の品質条件、製造条件に応じて、使用方法を適宜調整できる。このようにして製造されたパパイア果実発酵物は従来品と比較したとき、石鹸素地への分散性、溶解性が格段に向上しており、製造時間の短縮化に伴う製造コストの低減化、外観、使用感などの品質向上が認められる。
【００３８】
また、本発明において、ヒドロキシルラジカル消去活性は以下の様に定義される。
【００３９】
パパイア果実発酵物のヒドロキシルラジカル消去能の評価は電子スピン共鳴分光法（ＥＳＲ法）にて実施する。ＥＳＲ装置はＸ−Ｂａｎｄ（日本電子株式会社製ＲＸ型）にデジタル高速掃引ユニット（ラジカルリサーチ社）を組み込み改良したラジカル検出装置にＥＳＲ装置用ＷＩＮ−ＲＡＤシステムＲＤＡ−０３Ｗ  ＥＳＲデータアナライザー（ラジカルリサーチ社）を接続したシステムから構成される。
【００４０】
ＥＳＲ測定条件は、掃引磁場領域;３３６．５±５ｍＴ、磁場変調Ｆｉｅｌｄ  Ｍｏｄ  ;  ０．０７９、Ｔｉｍｅ  Ｃｏｎｓｔａｎｔ;  ０．１０秒、掃引時間;１分、出力;８．０ｍＷで行い、結果はＣＹＰＭＰＯ（２−（５、５−Ｄｉｍｅｔｈｙｌ−２−ｏｘｏ−２−λ５−[１，３，２]ｄｉｏｘａｐｈｏｓｐｈｉｎａｎ−２−ｙｌ）−２−ｍｅｔｈｙｌ−３，４−ｄｉｈｙｄｒｏ−２Ｈ−ｐｙｒｒｏｌｅ−１−ｏｘｉｄｅ、ラジカルリサーチ社）によりトラップされたラジカルアダクトの相対強度として示される。
【００４１】
本発明においては、ヒドロキシルラジカル消去活性は試料（パパイア果実発酵物）を含まない対照ＥＳＲ測定時の信号相対強度を５０％減弱させるパパイア果実発酵物製品の濃度をＩＣ５０値（μｇ／ｍｌ，最終濃度）として定義してある。
【００４２】
または、上記ヒドロキシルラジカル消去活性に相当する、即ち、同一のラジカル消去活性を発揮するＴｒｏｌｏｘ（（±）−Ｈｙｄｒｏｘｙ−２，５，７，８−ｔｅｔｒａｍｅｔｈｙｌｃｈｒｏｍａｎｅ−２−ｃａｒｂｏｘｙｌｉｃ  ａｃｉｄ、アルドリッチ社）の濃度を求め、パパイア果実発酵物製品のＩＣ５０値（μｇ／ｍｌ，最終濃度）に相当する単位（μｍｏｌ  Ｔｒｏｌｏｘ  ｅｑｕｉｖａｌｅｎｔ／ｍｇ）として示してある。換言すると、Ｔｒｏｌｏｘをヒドロキシルラジカル消去活性評価のための標品として用い、試料（パパイア果実発酵物）のヒドロキシルラジカル消去活性に相当するＴｒｏｌｏｘの化学当量を求めることにより評価を行う。
【００４３】
このことにより、ＥＳＲ機種の違い、手法の違い、試薬類純度の違いなどによるデータのバラツキを最小限に留め、データに客観性を与えることが可能となる。
以上述べてきたように、従来のパパイア石鹸と比較したとき、本発明になるパパイア果実発酵物含有石鹸は主に、野生の未成熟パパイア果実の選択的な使用、発酵工程の相違、石鹸素地の相違、などに基づき、高いヒドロキシルラジカル消去活性を有するとともに、皮膚に対する高い保健機能性並びに洗浄力を有することを特徴とするものである。
【発明の効果】
【００４４】
本発明によれば、高いヒドロキシルラジカル消去活性を有するので、皮膚老化、アトピー性皮膚炎等の予防や改善に寄与し、更に、高い保健機能性を有するとともに、皮膚に対する高い洗浄力を発揮し、品質の向上、製造コストの削減を図れる。
【発明を実施するための最良の形態】
【００４５】
以下に、本発明を実施するための最良の形態について説明する。
【００４６】
本発明におけるパパイア果実発酵物の中間原料製造の詳細は下記の通りである。
【００４７】
野性の未成熟パパイアを採取し、へたの部分と底部の花落ちをカットし、皮付きのまま種ごと輪切りにした後、容器内にてつぶして練り上げる（マッシュする）。このものにブドウ糖を添加し、７乃至１０日間熟成させ、該熟成物を濾過し、濾液１と残渣１を得る。
【００４８】
因みに、このとき得られる濾液の色は鮮やかな黄色であり、味もフルーティーである。本出願人において発明した従来のパパイア石鹸においては、野生種ではない未熟果のパパイアを使用していたため、同様にして得られる濾液は茶色であった。また、完熟したパパイアを用いて同様に濾液を製造した場合には、オレンジ色の液体と水とに分離してしまい、実用に耐えるものは製造できなかった。
【００４９】
このように、本発明に用いるパパイア果実発酵物の中間原料を製造するにあたっては、野生のパパイアを用いることが１つの特徴である。例えば、野生種は、ブルーベリー、ラズベリー、スイカ、ハーブ、ブドウなど、生薬や果物でも薬効が高いことが知られている。本発明においても、野生のパパイアを使用していることから、製造過程において、野生種でないパパイアを使用した場合とは明らかに異なる反応が見られたとともに、その品質においても、後述するように高品質のものが得られる。
【００５０】
原料として用いる野生の未成熟パパイア果実は、瑞々しい白色の種子を大量に有することを特徴としており、黒色の種子を有する成熟パパイア果実とは異なるものである。
【００５１】
また、一般に、栽培された未成熟パパイア果実よりも野生の未成熟パパイア果実の方が、ヒドロキシルラジカル消去活性が高く、かつ、保健機能性が高いため、本発明においては野生の未成熟パパイア果実を用いることを特徴としている。
【００５２】
残渣１とブドウ糖の混合物を静置後、濾過により濾液２を取得し、濾液１と濾液２の混合物にブドウ糖を添加し、該混合液中の最終的なブドウ糖濃度を４０乃至６０重量％に調製し、この物をパパイア果実発酵物の中間原料とする。
【００５３】
次に、パパイア果実発酵物製造の詳細は下記の通りである。
【００５４】
上記中間原料を第１の中間原料、第２の中間原料及び第３の中間原料の３つに分け、上記第１の中間原料に１．０〜５．０重量％の味噌用酵素を添加し混和した後発酵せしめ、その後、更にブドウ糖を添加し混和し乾燥せしめた後破砕することにより第１の組成物を取得する。次いで、上記第２の中間原料に５．０〜３０．０重量％の乳酸菌及び０．２〜１．０重量％の味噌用酵素を添加し混和し発酵せしめ、その後、更にブドウ糖を添加し混和し乾燥せしめた後破砕することにより第２の組成物を取得する。更に、上記第３の中間原料に０．５〜４．０重量％のアミラーゼを添加し混和し発酵せしめ、その後、更にブドウ糖を添加し混和し乾燥せしめた後破砕することにより第３の組成物を取得する。
【００５５】
そして、上記第１の組成物、第２の組成物及び第３の組成物を混合均質化し、少なくとも６ヶ月の長期間静置熟成させることによりパパイア果実発酵物は製造される。この製造されたパパイア果実発酵物は、ヒドロキシルラジカル消去活性が、ＩＣ５０値として表記した時、５０μｇ／ｍｌ〜４０００μｇ／ｍｌである。この範囲はＴｒｏｌｏｘ 換算で０．１μｍｏｌ〜８．２μｍｏｌ  ｅｑｕｉｖａｌｅｎｔ／ｍｇに相当する。本製品は官能評価的に優れた品質を有し、保健機能性素材として有用な生理活性を保持している。
【００５６】
本製品は乳白色粉末状であるが、石鹸製造を容易とするため、例えば、造粒による顆粒化、粉砕による微粉末化、打錠による錠剤化など剤形の変更、また、着色料、フレーバー添加など別途に任意の混合物を添加することは妨げられない。
【００５７】
本発明においては原料として野生の未成熟パパイア果実を用いることが重要である。仮に、パパイアの成熟果実を原料として用いた時は、製造工程中に品質劣化を生じやすく、また、最終的に得られた発酵物の品質は官能評価的に未成熟パパイア果実を用いた時よりも劣り、更に、保健機能性素地として期待される生理活性を充分には保持していない。
【００５８】
本発明に係るパパイア果実発酵物含有石鹸製造において用いられる石鹸素地に関しては、その原料、製法に関して特段の制限はなく、公知の技術を利用できる。
【００５９】
例えば、油脂及び／又は脂肪酸をアルカリ金属水酸化物により鹸化又は中和することにより製造される脂肪酸のアルカリ金属塩（アルカリ石鹸）、アニオン性界面活性剤からなる中性石鹸、酸性石鹸が挙げられる。
【００６０】
油脂としては、植物由来の天然油脂又は脂肪酸を用いるのが好ましい。植物由来の天然油脂及び／又は脂肪酸としては、例えば、パーム油、パーム核油、ヤシ油、オリーブ油、椿油、カポック油、糠油、トウモロコシ油、ゴマ油、サフラワー油、大豆油、菜種油、綿実油、落花生油、ヒマワリ油などが挙げられるが、酸化安定性が高く、香りが良好で、高い洗浄力が発揮され、かつ、皮膚に対する機能性が安定しているパーム油及びパーム核油が特に好ましい。パーム油及びパーム核油は共に飽和脂肪酸が多く、特に、後者はラウリン酸含量が多いことが本発明における機能発現に必要な性状を与えている。パーム油及びパーム核油は共に石鹸素地として用いる全植物油脂中少なくとも５．０重量％含有することによって目的とする機能を発揮できる。
【００６１】
アルカリ金属塩としては、主にナトリウム塩、カリウム塩が上げられるが、本発明においてはナトリウム塩が好ましい。
【００６２】
アニオン性界面活性剤としては、ヤシ油脂肪酸エチルエステルスルホン酸ナトリウムやＮ-ラウロリル−Ｌ−グルタミン酸ナトリウムが挙げられる。
【００６３】
本発明に係るパパイア果実発酵物含有石鹸は、上記の石鹸素地にパパイア果実発酵物を最終製品中濃度１．０乃至１０．０重量％添加し、更に、必要に応じて抗酸化剤、香料、色素などを添加し、保持温度３０〜４５℃の条件下、２０〜６０分間混合・攪拌し、公知の加工方法に従って各種の形態に整形することが出来る。
【００６４】
上記の石鹸素地へのパパイア果実発酵物添加量に関しては、最終製品中濃度０．１重量％より少ない時は、皮膚に対する生理機能性、例えば、肌老化、アトピー性皮膚炎を予防及び／又は改善するなどの高い保健機能性は発揮されがたく、皮膚に対する高い洗浄力も発揮されにくい。また、本発明に用いるパパイア果実発酵物は、従来のパパイア石鹸に用いていたパパイア果実発酵物に比して溶けやすくなっているので、上記の石鹸素地へのパパイア果実発酵物添加量としては、最終製品中濃度４０．０重量％くらいまでは添加可能であるが、石鹸素地への混合、整形性、実質的な石鹸としての機能性及びコスト面を考慮すると、その濃度は１０重量％以下とするのが好ましい。従って、本発明に係るパパイア果実発酵物含有石鹸においては、上記石鹸素地にパパイア果実発酵物を最終製品中濃度１．０乃至１０．０重量％添加するのが好ましい。
【００６５】
本発明に係るパパイア果実発酵物含有石鹸の形態としては、例えば、化粧石鹸、透明石鹸、ペースト状もしくはジェル状の洗顔用石鹸、ボディ洗浄料、シャンプー、シェーピングクリーム等が例示されるが、本発明は形態そのものによっては制限されない。
【００６６】
本発明においては、パパイア果実発酵物を製品中に１．０乃至１０．０重量％含むパパイア果実発酵物含有石鹸を、例えば、１回／日使用する、と仮定したとき、該パパイア果実発酵物のヒドロキシルラジカル消去活性がＩＣ５０値として、４０００μｇ／ｍｌ以下、望ましくは２０００μｇ／ｍｌ以下、更に望ましくは５００μｇ／ｍｌ以下であり、なおかつ１０００μｇ／ｍｌ以上、望ましくは５００μｇ／ｍｌ以上、更に望ましくは５０μｇ／ｍｌ以上の時、皮膚に対する生理機能性、例えば、肌老化、アトピー性皮膚炎を予防及び／又は改善するなどの高い保健機能性が有効に発揮され、又は、皮膚に対する高い洗浄力も有効に発揮される。この範囲はＴｒｏｌｏｘ 換算で０．１μｍｏｌ〜８．２μｍｏｌ  ｅｑｕｉｖａｌｅｎｔ／ｍｇに相当する。
【００６７】
本発明に係るパパイア果実発酵物含有石鹸の使用方法に関しては、本発明においては使用量、使用回数、使用期間には特段の上限及び下限、又はその他の条件などは設定していない。従って、大量に短期間利用する場合、少量で長期間利用する場合、他の保健機能性素材と共に利用する場合など各種のケースが想定されるが、このこと自体によって本発明は制限されない。
【００６８】
本発明に係るパパイア果実発酵物含有石鹸は紫外線，細胞の酸化損傷、乾燥、菲薄化等によって引き起こされる皮膚老化の予防及び／又は改善に有効である。
【００６９】
本発明に係るパパイア果実発酵物含有石鹸はアレルギー症状の一つであるアトピー性皮膚炎の予防及び／又は改善に有効である。
【００７０】
本発明に係るパパイア果実発酵物含有石鹸は、皮膚老化、アトピー性皮膚炎の予防及び／又は改善だけでなく、ニキビの改善、乾燥に伴う痒み低減、汗疹の低減、かぶれ症状の改善など皮膚の健康維持、回復に有効で、皮膚に対する高い保健機能性を発揮することが出来る。
【００７１】
本発明に係るパパイア果実発酵物含有石鹸は、シミ、ソバカスの低減、毛穴の黒ずみ除去、体臭の低減、日焼け肌の刺激感低減などに有効で、皮膚に対する高い洗浄力を発揮できる。
【００７２】
以下、実施例によって本発明をさらに説明する。但し、下記の実施例は発明を例示するためのものであり、本発明をいかなる意味においても限定するものではない。
【００７３】
＜実施例１＞パパイア果実発酵物含有石鹸の製造例
１）中間原料の製造
野生の未成熟パパイア果実１００Ｋｇを採取し、異物除去のため水洗後、ヘタ部分及び果実の底部を除き、スライス品８５Ｋｇを得た。
【００７４】
スライス品にブドウ糖２０Ｋｇを添加し、良く混和し、７乃至１０日間静置熟成させ、該混合物を濾過し、果汁液である濾液１と残渣１を得た。
【００７５】
残渣６０Ｋｇに対し、ブドウ糖１０Ｋｇを添加し、混和し、４日間静置熟成させ、該混合物を濾過し、果汁液である濾液２を得た。
【００７６】
濾液１と濾液２を混合し、ブドウ糖２Ｋｇを添加し、良く混和し、目的とする中間原料を４０Ｋｇ得た。
【００７７】
２）パパイア果実発酵物の製造
上記１）で製造された中間原料２０Ｋｇに味噌用酵素０．５Ｋｇを添加し、良く混和し、４０℃にて４８時間発酵せしめた後、ブドウ糖６０Ｋｇを添加し、良く混和した後、１８℃、１ヶ月間乾燥させ、粉砕し、組成物１を得た。
【００７８】
上記１）で製造された中間原料１５Ｋｇに乳酸菌５Ｋｇ及び味噌用酵素０．１Ｋｇを添加し、良く混和し、４０℃にて４８時間発酵せしめた後、ブドウ糖３０Ｋｇを添加し、良く混和した後、１８℃、１ヶ月間乾燥させ、粉砕し、組成物２を得た。
【００７９】
上記１）で製造された中間原料５Ｋｇにアミラーゼ０．１Ｋｇを添加し、良く混和し、４０℃にて４８時間発酵せしめた後、ブドウ糖１０Ｋｇを添加し、良く混和した後、１８℃、１ヶ月間乾燥させ、粉砕し、組成物３を得た。
【００８０】
組成物１，２，３を合わせて混合均質化し、ガスバリヤー製の高いアルミ包材内で６ヶ月以上熟成し、最終製品１００Ｋｇを得た。
【００８１】
本品は水分含量５重量％以下の流動性の高い乳白色粉末で、官能的に優れた味質を有していた。
【００８２】
３）パパイア果実発酵物製品及びＴｒｏｌｏｘのヒドロキシルラジカル消去活性の測定
上記のようにして製造されたパパイア果実発酵物のフリーラジカルおよび活性酸素種消去能の評価は、電子スピン共鳴分光（ＥＳＲ）法にて行った。ＥＳＲ装置はＸ−Ｂａｎｄ（日本電子株式会社製ＲＸ型）にデジタル高速掃引ユニット（ラジカルリサーチ社）を組込み改良したフリーラジカル検出装置にＥＳＲ装置用ＷＩＮ−ＲＡＤシステムＲＤＡ−０３Ｗ  ＥＳＲデータアナライザ（ラジカルリサーチ社）を接続したシステムにて構成されている。
【００８３】
ＥＳＲ設定条件は、掃引磁場領域: ３３６．５±５ｍＴ、磁場変調Ｆｉｅｌｄ  Ｍｏｄ:０．０７９、Ｔｉｍｅ  Ｃｏｎｓｔａｎｔ:  ０．１０秒、掃引時間:１分、出力:８．０ｍＷで行い、結果はＤＭＰＯ又はＣＹＰＭＰＯによりトラップされたラジカルのシグナルの相対強度として示される。以下に、更に具体的に示す。
【００８４】
充分に窒素置換された２００  ｍＭリン酸緩衝液（  ｐＨ７．８）中に１００μＭ硫酸第一鉄、１００μＭＤＥＴＡＰＡＣ、５ｍＭ  ＣＹＰＭＰＯ、各濃度の試料（パパイア果実発酵物製品）又は  Ｔｒｏｌｏｘ、１００μＭ過酸化水素の混液を測定試料としてＥＳＲ分析を行った。過酸化水素添加１分後に掃引を開始することで一定量発生させたＣＹＰＭＰＯ−ヒドロキシルラジカルアダクトによる全８本のピークの内、４番目のピーク（ＥＳＲ信号）と、Ｍｎによる６本のＥＳＲ信号の内、低磁場側から２番目のＭｎのピーク（ＥＳＲ信号）を比較し、各ＥＳＲ信号の比、即ち、ＣＹＰＭＰＯ−ヒドロキシルラジカル／Ｍｎの相対強度によりヒドロキシルラジカルを定量化した。被験素材又はＴｒｏｌｏｘを添加せず実施した対照ＥＳＲ測定で観察されたＣＹＰＭＰＯ−ヒドロキシルラジカル／ＭｎのＥＳＲ信号の相対強度を１００％とした。試料（パパイア果実発酵物製品）をＥＳＲ測定溶液に添加し、ＣＹＰＭＰＯ−ヒドロキシルラジカル／ＭｎのＥＳＲ信号の相対強度の変化で、試料（パパイア果実発酵物製品）のヒドロキシルラジカルに対する消去活性を検討した。その結果、対照ＥＳＲ測定時の相対信号強度を５０％減弱させるパパイア果実発酵物製品の濃度をＩＣ５０値  （μｇ／ｍｌ）として求めたところ、５０〜４０００μｇ／ｍｌ（ｆｉｎａｌ）であった。
【００８５】
同様にして、上記のヒドロキシルラジカル消去活性に相当するＴｒｏｌｏｘの相当当量を測定したところ、０．１〜８．２μｍｏｌ  Ｔｒｏｌｏｘ  ｅｑｕｉｖａｌｅｎｔ／ｍｇであった。すなわち、保健機能性を発揮するに足る充分な活性が確認された。
【００８６】
４）パパイア果実発酵物含有石鹸の製造
石鹸釜に市販のパーム油８６８Ｋｇとパーム核油２１７Ｋｇに対して水１５０Ｋｇを加えて攪拌しながら７０℃に調整した（ステップ１）。攪拌しながら、水５３７Ｋｇに水酸化ナトリウム１６６Ｋｇを溶解した水溶液を追加した（ステップ２）。
【００８７】
鹸化の進行と共に混合液が硬くなり始めた時点で、軟らかくなるまで３０％食塩水を約１００Ｋｇ加え、石鹸釜を１００℃まで加温攪拌し鹸化を確認した。続いて、５０℃以上の（ステップ２）。することにより塩析処理して鹸化工程を終了させ、３日間静置した（ステップ３）。
【００８８】
次に、石鹸釜からグリセリンを含有する廃液を除去し、石鹸成分のみを残した（ステップ４）。
【００８９】
上記石鹸成分は再びステップ３に戻して、２回目の鹸化処理を行う。即ち、石鹸釜を８０℃以上に加温し、攪拌しながら水２００Ｋｇ、３０％食塩水約１００Ｋｇを加え、石鹸釜内温度を約１００℃とし、約３時間攪拌を行うことにより塩析を行い、３日間静置した。
【００９０】
続いて、石鹸釜からグリセリンを含有する廃液を除去し、石鹸成分のみを残した（ステップ４）。
【００９１】
上記ステップ４の後、石鹸釜内の石鹸を枠内に移し、乾燥させ、枠を取り外し、石鹸を棒状に切断して押出し機に投入して麺状とし、更に、石鹸中の水分が約１１％になるまで乾燥させ、石鹸素地を得た（ステップ５）。
【００９２】
上記石鹸素地８．０Ｋｇに、パパイア果実発酵物１．０Ｋｇと水約２００ｍｌとを加え、ホッパーから押出し機に投入して破砕混錬した（ステップ６）。
【００９３】
続けて、押出し時の温度を４０℃に設定し、減圧下（０．０８〜０．８５ｍｐａ）にて本発明になるパパイア果実発酵物と石鹸素地を分散混和し、該石鹸を押出して型打ち成型した（ステップ７）。
【００９４】
続けて、乾燥工程を経て石鹸中の水分を約１０％に調製し、パパイア果実発酵物含有石鹸が得られた（ステップ８）。
【００９５】
＜実施例２＞パパイア果実発酵物含有石鹸の皮膚老化に対する有効性
コントロールとして、実施例１のパパイア果実発酵物含有石鹸に対して、パパイア果実発酵物を０．２％含むパパイア果実発酵物含有石鹸（比較品１）、パパイア果実発酵物を含まない石鹸（比較品２）を作成し、以下の試験に供した。
【００９６】
紫外線による光老化、活性酸素を介する皮膚細胞の酸化、皮膚の乾燥、菲薄化等により惹起される皮膚のシワ、たるみ、弾力低下等の皮膚老化の症状を有する被験者に、毎日入浴時、パパイア果実発酵物含有石鹸、比較品１、比較品２を各区１０名として１週間使用してもらい、その使用感を調査した。使用感は、大変良い、良い、変化無し、悪い、大変悪い、の５段階で評価した。
【００９７】
その結果、パパイア果実発酵物含有石鹸使用区は大変良い（４名）、良い（５名）、変化無し（１名）、悪い（０名）、大変悪い（０名）であった。比較品１使用区は大変良い（０名）、良い（２名）、変化無し（７名）、悪い（１名）、大変悪い（０名）であった。比較品２使用区は大変良い（０名）、良い（０名）、変化無し（７名）、悪い（２名）、大変悪い（１名）であった。
【００９８】
以上の調査結果から、パパイア果実発酵物含有石鹸が皮膚老化の諸症状に有効であることが示された。
【００９９】
＜実施例３＞パパイア果実発酵物含有石鹸のアトピー性皮膚炎に対する有効性
コントロールとして、実施例１のパパイア果実発酵物含有石鹸に対して、パパイア果実発酵物を０．２％含むパパイア果実発酵物含有石鹸（比較品１）、パパイア果実発酵物を含まない石鹸（比較品２）を作成し、以下の試験に供した。
【０１００】
アレルギー反応の一つとして惹起される皮膚の炎症、かゆみ、乾燥、等のアトピー性皮膚炎の症状を有する被験者に、毎日入浴時、パパイア果実発酵物含有石鹸、比較品１、比較品２を各区１０名として１週間使用してもらい、その使用感を調査した。使用感は、大変良い、良い、変化無し、悪い、大変悪い、の５段階で評価した。
【０１０１】
その結果、パパイア果実発酵物含有石鹸使用区は大変良い（３名）、良い（４名）、変化無し（３名）、悪い（０名）、大変悪い（０名）であった。比較品１使用区は大変良い（０名）、良い（１名）、変化無し（５名）、悪い（４名）、大変悪い（０名）であった。比較品２使用区は大変良い（０名）、良い（０名）、変化無し（７名）、悪い（２名）、大変悪い（１名）であった。
【０１０２】
以上の調査結果から、パパイア果実発酵物含有石鹸がアトピー性皮膚炎の諸症状に有効であることが示された。
【０１０３】
＜実施例４＞パパイア果実発酵物含有石鹸の保健機能性評価
コントロールとして、実施例１のパパイア果実発酵物含有石鹸に対して、パパイア果実発酵物を０．２％含むパパイア果実発酵物含有石鹸（比較品１）、パパイア果実発酵物を含まない石鹸（比較品２）を作成し、以下の試験に供した。
【０１０４】
皮膚老化、アトピー性皮膚炎等以外の原因に起因する皮膚の代表的トラブルである乾燥肌、脂性肌、肌荒れ、敏感肌等のいずれか一つ以上の症状を有する被験者に、毎日入浴時、パパイア果実発酵物含有石鹸、比較品１、比較品２を各区１５名として１週間使用してもらい、その使用感を調査した。改善された時の条件は皮膚の潤い感、滑らかさ、ハリ、弾力、血色が良い、などの保健機能性に関する使用者の体感をベースとし、使用感は、大変良い、良い、変化無し、悪い、大変悪い、の５段階で評価した。
【０１０５】
その結果、パパイア果実発酵物含有石鹸使用区は大変良い（６名）、良い（６名）、変化無し（３名）、悪い（０名）、大変悪い（０名）であった。比較品１使用区は大変良い（０名）、良い（１名）、変化無し（１２名）、悪い（２名）、大変悪い（０名）であった。比較品２使用区は大変良い（０名）、良い（０名）、変化無し（１０名）、悪い（４名）、大変悪い（１名）であった。
【０１０６】
以上の調査結果から、パパイア果実発酵物含有石鹸が皮膚の保健機能性に関する諸症状に有効であることが示された。
【０１０７】
＜実施例５＞パパイア果実発酵物含有石鹸の洗浄力向上に対する有効性
コントロールとして、実施例１のパパイア果実発酵物含有石鹸に対して、パパイア果実発酵物を０．２％含むパパイア果実発酵物含有石鹸（比較品１）、パパイア果実発酵物を含まない石鹸（比較品２）を作成し、以下の試験に供した。
【０１０８】
パパイア果実発酵物含有石鹸の洗浄力向上に対する有効性評価のため、シミ、ソバカス、毛穴の黒ずみ、体臭等のいずれかの汚れに悩みを有する被験者に、毎日入浴時、パパイア果実発酵物含有石鹸、比較品１、比較品２を各区１０名として１週間使用してもらい、その泡立ち、汚れ落ちの度合いなどの改善に関する使用感を調査した。使用感は、大変良い、良い、変化無し、悪い、大変悪い、の５段階で評価した。
【０１０９】
その結果、パパイア果実発酵物含有石鹸使用区は大変良い（５名）、良い（４名）、変化無し（１名）、悪い（０名）、大変悪い（０名）であった。比較品１使用区は大変良い（０名）、良い（１名）、変化無し（９名）、悪い（０名）、大変悪い（０名）であった。比較品２使用区は大変良い（０名）、良い（０名）、変化無し（９名）、悪い（１名）、大変悪い（０名）であった。
【０１１０】
以上の調査結果から、パパイア果実発酵物含有石鹸が高い洗浄力を有することが示された。
【０１１１】
以上、本発明になるパパイア果実発酵物含有石鹸と比較品１及び２とを比較した結果、本発明品を用いることの優位性が示された。
【０１１２】
＜実施例６＞パパイア果実発酵物含有石鹸と従来のパパイア石鹸との比較
本発明に係るパパイア果実発酵物含有石鹸の品質を示すべく、従来のパパイア石鹸との間において製品の比較を行った。なお、以下においては、従来のパパイア石鹸を「従来品」、本発明に係るパパイア果実発酵物含有石鹸を「本製品」と称する。
【０１１３】
＜１＞泡の比較テスト
[泡立ち]・・・従来品と比較して、本製品は、泡そのものが柔らかく、ツヤがある。
[弾力  ]・・・従来品及び本製品をそれぞれ泡立たせ、それぞれの泡を容器にいれ３時間放置した。その結果、従来品は、弾力がなくしぼんでいるが、本製品は、弾力性が失われず泡の状態が持続している。
[ツヤ  ]・・・従来品は、本製品のものと比較して最初からツヤが少ないが、本製品は、３時間たってもツヤが持続している。
[感触  ]・・・従来品は、泡を肌に塗布した際、滑らかではあるが直ぐに泡は消えてなくなる。本製品は、肌に塗布するとクリーム状にネットリとしていつまでも滑らかにのびる。そのため、肌に対する刺激も少なく、また、マッサージクリームとしても利用できる。
[使用後]・・・従来品の場合は、水洗いした後の肌の感触はサラサラ感があるが、本製品は、しっとり感が強い。保湿効果が高い。
【０１１４】
＜２＞その他使用感の比較
従来品と比べて本製品は、以下のような効果を奏する。
本製品で、かかと、ひじの角質の部分をこすると、角質がボロボロと取れて、スベスベの肌になる。日焼けでの炎症が、本製品を使用すると治まる。
【０１１５】
＜３＞製造過程の比較
従来品では、パパイア果実発酵物を１５〜２０重量部入れているが（特許文献１０の段落０００９欄参照）、本製品は、パパイア果実発酵物は、半分以下（１〜１０重量部）で従来品より品質が優れたものが製品化できる。
また、従来品は、パパイア果実発酵物の溶解度が不完全のため、多少のざらつきが残っていたが、本製品は、ざらつきは全くなく、完全に石鹸素地に溶け込んでいる。混合するパパイア果実発酵物の量が少なくなったこともその原因と思われる。このように本製品において、パパイア果実発酵物が綺麗に溶けるということは、パパイア果実発酵物そのものの質の向上を意味している。
【０１１６】
＜４＞応用例および特有の効果
従来品は、洗浄目的のみであったが、本製品は、以下のように、幅広い用途で利用可能であり、そのうえ、従来品では奏し得なかった以下のような効果を有する。
ａ）本製品を泡立て、その泡を顔全体にのばしパックして３分ほど放置し、洗い流すと肌がしっとり、スベスベ、モチモチの肌になる。また、洗顔後のツッパリ感がない。使用を継続していると肌質が変わり、脂性肌の人の脂性特有のベトツキ感がなくなる。乾燥肌の人はカサカサ感が無くなりしっとりする。
ｂ）泡を顔や首にのばし、マッサージクリームとして手入れすると、きめ細かい肌になり、シワ・シミの改善になる。また、その泡を５〜６時間容器に入れ放置するとクリーム状になり、より効果的である。
ｃ）本製品で全身を洗うことで、全身の皮膚のトラブル、皮膚割れ、魚の目、皸、サメ肌、日焼け跡及び浮腫み、などが改善する。
ｄ）本製品で全身を洗うと、しっとりと柔らかくなる。
ｅ）本製品の泡で身体の贅肉などをマッサージすると贅肉が減り、ボディーラインがスリムになる。
ｆ）本製品で皮膚のトラブル、傷などの改善が早くなる。
ｇ）髭剃りに本製品を使うと、カミソリ負けがなくなり，肌がしっとりし、髭剃り後の肌荒れ、炎症などに由来する赤みが発生しない。